(57)【要約】【課題】プラズマディスプレイ装置において、維持電極と維持電極側の駆動回路を接続する複数のＦＰＣの数を削減し、低コスト化を図ることを目的とする。【解決手段】パネル本体１１の有効表示領域外の一辺に前記維持電極の駆動回路に接続するための端子取出し部４３を配設するとともに、その端子取出し部４３に複数の配線板３１を電気的に接続したプラズマディスプレイ装置において、前記維持電極の端子取出し部４３は、前記複数の維持電極をパネル本体１１の有効表示領域外で共通に接続する共通接続パターン４４と、この共通接続パターン４４に接続されかつ前記複数の配線板３１それぞれが接続される複数の接続ブロック４５とで構成し、かつ前記複数の接続ブロック４５のうち、少なくとも両端部の端部接続ブロック４５ａを間引いた状態で、複数の配線板３１をほぼ上下対象となるように配置して接続した。【選択図】図４
2005340131.tif 000002
【特許請求の範囲】
【請求項１】
一方の基板上に複数列の維持電極及び走査電極を設けたパネル本体を有し、パネル本体の有効表示領域外の一辺に前記維持電極の駆動回路に接続するための端子取出し部を配設するとともに、その端子取出し部に複数の配線板を電気的に接続したプラズマディスプレイ装置において、前記維持電極の端子取出し部は、前記複数の維持電極をパネル本体の有効表示領域外で共通に接続する共通接続パターンと、この共通接続パターンに接続されかつ前記複数の配線板それぞれが接続される複数の接続ブロックとで構成し、かつ前記複数の接続ブロックのうち、少なくとも両端部の端部接続ブロックまたはその端部接続ブロックに隣接する接続ブロックを間引いた状態で、複数の配線板をほぼ上下対象となるように配置して接続したことを特徴とするプラズマディスプレイ装置。
【請求項２】
複数の接続ブロックのうち、両端部の端部接続ブロックまたはその端部接続ブロックに隣接する接続ブロックと、中央部の接続ブロックとを間引いた状態で複数の配線板を接続したことを特徴とする請求項１に記載のプラズマディスプレイ装置。
【請求項３】
複数の接続ブロックのうち、少なくとも端部接続ブロックに隣接する接続ブロックと、この接続ブロックに隣接する接続ブロックとを間引いた状態で複数の配線板を接続したことを特徴とする請求項１に記載のプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このプラズマディスプレイ装置には、大別して、駆動的にはＡＣ型とＤＣ型があり、放電形式では面放電型と対向放電型の２種類があるが、高精細化、大画面化及び製造の簡便性から、現状では、プラズマディスプレイ装置の主流は、３電極構造の面放電型のもので、その構造は、一方の基板上に平行に隣接した走査電極、維持電極という表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００５】
プラズマディスプレイ装置におけるパネル本体の構造について図１０を用いて説明する。図１０に示すように、ガラス基板などの透明な前面側の基板１上には、走査電極と維持電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、走査電極及び維持電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【０００７】
これらの基板１と基板５とは、走査電極及び維持電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
図１１にこのパネル本体の電極配列を示している。図１１に示すように走査電極及び維持電極とアドレス電極とは、Ｍ行×Ｎ列のマトリックス構成であり、行方向にはＭ行の走査電極ＳＣＮ１〜ＳＣＮＭ及び維持電極ＳＵＳ１〜ＳＵＳＭが配列され、列方向にはＮ列のアドレス電極Ｄ１〜ＤＮが配列されている（特許文献１参照）。
【０００９】
このような電極構成のパネル本体においては、アドレス電極と走査電極の間に書き込みパルスを印加することにより、アドレス電極と走査電極の間でアドレス放電を行い、放電セルを選択した後、走査電極と維持電極との間に、交互に反転する周期的な維持パルスを印加することにより、走査電極と維持電極との間で維持放電を行い、所定の表示を行うものである。
【特許文献１】特開２０００−４７６３６号公報
【発明の開示】
【発明が解決しようとする課題】
【００１０】
このようなプラズマディスプレイ装置においては、維持電極の端子取出し部は、１枚のフレキシブル配線板（以下、ＦＰＣという）の端子数の単位で複数の接続ブロックに分けられており、その接続ブロックそれぞれにＦＰＣが接続されている。
【００１１】
本発明はこのようなプラズマディスプレイ装置において、維持電極と維持電極側の駆動回路を接続する複数のＦＰＣの数を削減し、低コスト化を図ることを目的とするものである。
【課題を解決するための手段】
【００１２】
上記目的を達成するために本発明のプラズマディスプレイ装置は、一方の基板上に複数列の維持電極及び走査電極を設けたパネル本体を有し、パネル本体の有効表示領域外の一辺に前記維持電極の駆動回路に接続するための端子取出し部を配設するとともに、その端子取出し部に複数の配線板を電気的に接続したプラズマディスプレイ装置において、前記維持電極の端子取出し部は、前記複数の維持電極をパネル本体の有効表示領域外で共通に接続する共通接続パターンと、この共通接続パターンに接続されかつ前記複数の配線板それぞれが接続される複数の接続ブロックとで構成し、かつ前記複数の接続ブロックのうち、少なくとも両端部の端部接続ブロックまたはその端部接続ブロックに隣接する接続ブロックを間引いた状態で、複数の配線板をほぼ上下対象となるように配置して接続したものである。
【００１３】
また、本発明は、複数の接続ブロックのうち、両端部の端部接続ブロックまたはその端部接続ブロックに隣接する接続ブロックと、中央部の接続ブロックとを間引いた状態で複数の配線板を接続したことを特徴とする。さらに、本発明は、複数の接続ブロックのうち、少なくとも端部接続ブロックに隣接する接続ブロックと、この接続ブロックに隣接する接続ブロックとを間引いた状態で複数の配線板を接続したことを特徴とする。
【発明の効果】
【００１４】
本発明のプラズマディスプレイ装置によれば、パネル本体の維持電極と駆動回路を接続するためのＦＰＣの数を削減することができ、低コスト化を図ることができる。
【発明を実施するための最良の形態】
【００１５】
以下、本発明の一実施の形態によるプラズマディスプレイ装置について、図１〜図９を用いて説明するが、本発明の実施の態様はこれに限定されるものではない。
【００１６】
図１にプラズマディスプレイ装置の全体構成の一例を示している。図において、１１は図７、図８に示す構成のパネル本体であり、このパネル本体１１を収容する筐体は、前面枠１２と金属製のバックカバー１３とから構成され、前面枠１２の開口部には光学フィルター及びパネル本体１１の保護を兼ねたガラスなどからなる前面カバー１４が配置されている。また、この前面カバー１４には電磁波の不要輻射を抑制するために、例えば銀蒸着が施されている。さらに、バックカバー１３には、パネル本体１１などで発生した熱を外部に放出するための複数の通気孔１３ａが設けられている。
【００１７】
前記パネル本体１１は、アルミニウムなどからなるシャーシ部材１５の前面に熱伝導シート１６を介して接着することにより保持され、そしてシャーシ部材１５の後面側には、パネル本体１１を表示駆動させるための複数の回路ブロック１７が取り付けられている。前記熱伝導シート１６は、パネル本体１１で発生した熱をシャーシ部材１５に効率よく伝え、放熱を行うためのものである。また、回路ブロック１７はパネル本体１１の表示駆動とその制御を行うための電気回路を備えており、パネル本体１１の縁部に引き出された電極引出部に、シャーシ部材１５の四辺の縁部を越えて延びる複数のＦＰＣ（図示せず）によって電気的に接続されている。
【００１８】
また、シャーシ部材１５の後面には、回路ブロック１７を取り付けたり、バックカバー１３を固定するためのボス部１５ａがダイカストなどによる一体成型により突設されている。なお、このシャーシ部材１５は、アルミニウム平板に固定ピンを固定して構成してもよい。
【００１９】
図２はこのような構成のプラズマディスプレイ装置において、バックカバー１３を外して内部の配置構造を示す平面図であり、図２において走査電極駆動回路ブロック２１はパネル本体１１の走査電極に所定の信号電圧を供給し、維持電極駆動回路ブロック２２はパネル本体１１の維持電極に所定の信号電圧を供給し、アドレスドライバ回路ブロック２３はパネル本体１１のアドレス電極に所定の信号電圧を供給するもので、走査電極駆動回路ブロック２１、維持電極駆動回路ブロック２２はシャーシ部材１５の幅方向の両端部にそれぞれ配置され、またアドレスドライバ回路ブロック２３はシャーシ部材１５の高さ方向の下端部に配置されている。
【００２０】
制御回路ブロック２４は、テレビジョンチューナなどの外部機器に接続するための接続ケーブルが着脱可能に接続される入力端子部を備えた入力信号回路ブロック２５から送られる映像信号に基づき、画像データをパネル本体１１の画素数に応じた画像データ信号に変換してアドレスドライバ回路ブロック２３に供給すると共に、放電制御タイミング信号を発生し、各々走査電極駆動回路ブロック２１及び維持電極駆動回路ブロック２２に供給し、階調制御などの表示駆動制御を行うもので、シャーシ部材１５のほぼ中央部に配置されている。
【００２１】
電源ブロック２６は、前記各回路ブロックに電圧を供給するもので、前記制御回路ブロック２４と同様、シャーシ部材１５のほぼ中央部に配置され、電源ケーブル（図示せず）が装着されるコネクタ２７を有する電源入力ブロック２８を通して商用電源電圧が供給される。
【００２２】
ブラケット２９はスタンドポールに装着されるもので、シャーシ部材１５の高さ方向の下端部の位置に取り付けられている。据置用のスタンドに取り付けたスタンドポールの先端部をブラケット２９の孔に挿入し、ビスなどによりスタンドポールをブラケット２９に固定することによりスタンドが取り付けられ、これによりパネル本体を立てた状態で保持されることとなる。
【００２３】
ＦＰＣ３０、３１は、パネル本体１１の走査電極、維持電極の端子取出し部と走査電極駆動回路ブロック２１、維持電極駆動回路ブロック２２のプリント配線板とを接続するものである。また、ＦＰＣ３２はパネル本体１１のアドレス電極の端子取出し部とアドレスドライバ回路の駆動回路を搭載したプリント配線板とを接続するものであり、それぞれパネル本体１１の外周部を通して、前面側より背面側に１８０度湾曲させて引き回して配置している。なお、図２においては、パネル本体１１の下端部側において、アドレス電極の端子取出し部とアドレスドライバ回路の駆動回路を搭載したプリント配線板とを接続する場合の例を示しているが、プラズマディスプレイ装置の構成上、例えば放電セル数の多いパネル本体においては、パネル本体１１の上下端部の両側においてアドレス電極の端子取出し部とアドレスドライバ回路の駆動回路を搭載したプリント配線板とを接続する構成としている。
【００２４】
図３は図２の維持電極駆動回路ブロック側を拡大して示す図である。また、維持電極に印加される駆動波形は、走査電極のように各々駆動波形が異なることはなく、１種類であることが多いので、回路素子、あるいは基板上の銅箔による波形ひずみを軽減するための手段として、図３に示すように、維持電極駆動回路ブロック２２の基板３３上にコネクタ３４を配置し、そのコネクタ３４のピン端子の全てに対して回路で発生させた維持駆動波形電圧を伝達するための銅箔は、幅広で複数の素子の出力をひとつにまとめるベタパターンにして接続する方法が用いられている。そして、コネクタ３４にはＦＰＣ３１の一方を挿入し、もう一方を維持電極の端子取出し部に接続して駆動波形を印加する方法が用いられる。
【００２５】
図４に本発明の一実施の形態によるパネル本体の概略図を示している。パネル本体１１は、図１０に示すように、放電空間を形成して対向する一方の基板上に互いに平行な複数列の維持電極及び走査電極を設けるとともに、他方の基板に前記走査電極及び維持電極と交差するように複数列のアドレス電極とを設けることにより複数の放電セルを有する構成である。この図４に示すパネル本体１１は、上下両端部においてアドレス電極の端子取出し部を設けたものである。
【００２６】
図４において、４１はパネル本体１１の前面板、４２は走査電極の端子取出し部、４３は維持電極の端子取出し部である。この維持電極の端子取出し部４３に接続されるＦＰＣ３１は、接続部分の端子は各維持電極に対応するように複数に分割されているが、フィルム内ではパターン部分は、幅広の銅箔からなる、いわゆるベタパターンで構成され、共通に接続されている。
【００２７】
また、維持電極の端子取出し部４３は、複数の全ての維持電極をパネル本体１１の有効表示領域外で共通に接続する共通接続パターン４４と、この共通接続パターン４４に接続されかつ前記複数のＦＰＣ３１それぞれが接続される複数の接続ブロック４５とで構成されている。なお、接続ブロック４５は、１枚のＦＰＣ３１の端子数の単位で、複数のブロックに分けることにより設けられている。また、共通接続パターン４４は、インピーダンス・インダクタンス低減のため、Ａｇの薄膜により形成されており、前面板４１の有効表示領域内にある全ての維持電極がパネル本体１１の短辺側の有効表示領域外にて共通に接続されている。
【００２８】
また、図４に示すように、前記複数の接続ブロック４５のうち、両端部の端部接続ブロック４５ａには、ＦＰＣ３１が接続されていない。すなわち、パネル本体１１において、複数の接続ブロック４５には、上下対象となるように端部接続ブロック４５ａを間引いた状態で複数のＦＰＣ３１がほぼ上下対象になるように配置されて接続されている。
【００２９】
ところで、上述したような構成のプラズマディスプレイ装置においては、表示する映像によっては、維持電極の共通接続パターン４４が持つインピーダンス成分により、共通接続パターン４４に流れる電流によって電圧降下が発生し、パネルの放電特性を悪化させるとともに、共通接続パターン４４で発熱が生じ、周囲との温度差によりパネルが割れるという課題が発生することから、共通接続パターン４４のインピーダンスを適切な値に設計することが要求され、また共通接続パターン４４の特定箇所への電流の集中を防ぐとの観点から接続ブロック４５それぞれにＦＰＣ３１を接続する必要があると考えられていた。
【００３０】
この点に関し、本発明者が検討を行った結果、複数の接続ブロック４５にＦＰＣ３１を接続する際に、端部接続ブロック４５ａを間引いた状態であっても、ほぼ上下対象となるようにＦＰＣ３１を配置して接続ブロック４５に接続することにより、パネルの放電特性を悪化させることなく、また共通接続パターン４４での発熱による周囲との温度差によりパネルが割れるということがないということを見出したものである。すなわち、本発明においては、パネル本体１１において、複数の接続ブロック４５に、端部接続ブロック４５ａを間引いた状態で複数のＦＰＣ３１をほぼ上下対象に配置して接続するものであり、これによりパネルの放電特性の悪化、及びパネルの割れを生じることなく、ＦＰＣ３１を削減することができ、プラズマディスプレイ装置のコスト削減を実現することができる。
【００３１】
なお、図４に示す例では、複数の接続ブロック４５のうち、両端部の端部接続ブロック４５ａにＦＰＣ３１を接続しない構成としたが、この構成例以外に、図５に示すように、複数の接続ブロック４５のうち、両端部の端部接続ブロック４５ａに隣接する接続ブロック４５のＦＰＣ３１を間引く構成や、図６に示すように、その端部接続ブロック４５ａに隣接する接続ブロック４５と中央部の接続ブロック４５とを間引く構成でもよい。また、図７に示すように、端部接続ブロック４５ａと、その端部接続ブロック４５ａから１個飛ばしで間引く構成や、図８のように２個飛ばしで間引く構成でもよい。さらには、図９に示すように、両端部の端部接続ブロック４５ａと、中央部の接続ブロック４５のみを残して間引く構成でもよい。すなわち、本発明においては、複数の接続ブロック４５のうち、少なくとも両端部の端部接続ブロック４５ａまたはその端部接続ブロック４５ａに隣接する接続ブロック４５を間引いた状態で、複数のＦＰＣ３１をほぼ上下対象となるように配置して接続すればよい。
【００３２】
以上説明したように、本発明によれば、複数の接続ブロックにＦＰＣを接続する際に、複数の接続ブロックのうち、少なくとも両端部の端部接続ブロックまたはその端部接続ブロックに隣接する接続ブロックを間引いた状態で、複数のＦＰＣをほぼ上下対象となるように配置して接続することにより、パネルの放電特性を悪化させることなく、また共通接続パターンでの発熱によるパネルの割れを生じることなく、ＦＰＣを削減することができ、プラズマディスプレイ装置のコスト削減を実現することができる。
【００３３】
また、従来であれば、ＦＰＣと接続する維持回路ブロックのプリント配線板を設計するにあたってはアドレス電極側のプリント配線板と干渉しないように考慮しなければならなかったのに対し、本発明のように両端部の端部接続ブロックを間引いてＦＰＣを接続することにより、パネル本体のアドレス電極側に近い上下端にＦＰＣを配置する必要がないため、アドレス電極側とのプリント配線板との干渉を気にすることなく設計を行うことができる。
【産業上の利用可能性】
【００３４】
以上のように本発明によれば、プラズマディスプレイ装置のコスト低減を実現する上で有用な発明である。
【図面の簡単な説明】
【００３５】
【図１】本発明の一実施の形態によるプラズマディスプレイ装置の全体構成を示す分解斜視図
【図２】同プラズマディスプレイ装置の内部の配置構造の一例を示す平面図
【図３】同プラズマディスプレイ装置の要部構成を示す斜視図
【図４】同プラズマディスプレイ装置のパネル本体の概略構成を示す平面図
【図５】他の実施形態によるパネル本体の概略構成を示す平面図
【図６】他の実施形態によるパネル本体の概略構成を示す平面図
【図７】他の実施形態によるパネル本体の概略構成を示す平面図
【図８】他の実施形態によるパネル本体の概略構成を示す平面図
【図９】他の実施形態によるパネル本体の概略構成を示す平面図
【図１０】プラズマディスプレイ装置のパネルの概略構成を示す平面図
【図１１】同プラズマディスプレイ装置のパネルの電極配列を示す説明図
【符号の説明】
【００３６】
１、５  基板
２  表示電極
７  アドレス電極
１１  パネル本体
３０、３１、３２  フレキシブル配線板（ＦＰＣ）
４２、４３  端子取出し部
４４  共通接続パターン
４５  接続ブロック
４５ａ  端部接続ブロック
【図１】
2005340131.tif 000003
【図２】
2005340131.tif 000004
【図３】
2005340131.tif 000005
【図４】
2005340131.tif 000006
【図５】
2005340131.tif 000007
【図６】
2005340131.tif 000008
【図７】
2005340131.tif 000009
【図８】
2005340131.tif 000010
【図９】
2005340131.tif 000011
【図１０】
2005340131.tif 000012
【図１１】
2005340131.tif 000013